(57)【要約】【課題】ナット部材のナット装着溝内での円滑なスライドを阻害することなく、ナット部材の前面とナット装着溝の前面壁の裏面とのすき間をなくし、ボルトを容易にナット部材に締め付けることができる物品取り付け金具を提供する。【解決手段】壁面等に固定される固定部２と、その固定部２の下辺に設けられた取り付け部３と、前記取り付け部３にその長さ方向に形成されたナット装着溝４とからなり、前記ナット装着溝４の下部溝壁１２が固定部２側から取り付け部３の突き出し方向に向かって下向きに傾斜する傾斜角をもって形成され、ナット部材７の下面に下部溝壁１２と一致する傾斜角が付与され、ナット部材７がナット装着溝４に挿入されると、ナット部材７がその自重によりナット装着溝４の下部溝壁１２に沿って前方に移動し、ナット部材７のねじ面部１４がナット装着溝４の溝底壁９に接触して、ナット部材７のねじ面部１４とナット装着溝４の溝底壁９との間にすき間がない状態となる。【選択図】図１
2006329399.tif 000002
【特許請求の範囲】
【請求項１】
壁面等の取り付け面に対し水平状態に固定される所要長さをもった固定部（２）と、その固定部（２）の上下辺のいずれか一方の辺に前記固定部（２）の前面側に突き出して設けられた取り付け部（３）と、前記取り付け部（３）にその長さ方向に形成されたナット装着溝（４）とからなり、取り付け対象となる物品を取り付け部（３）にボルト（６）により取り付け、そのボルト（６）を前記ナット装着溝（４）内のナット部材（７）に締め付けるようにした物品取り付け金具において、前記ナット装着溝（４）が上下に対向した上部溝壁（１１）と下部溝壁（１２）及びこれらの溝壁間に形成された溝底壁（９）を有し、前記下部溝壁（１２）が前記取り付け部（３）の突き出し方向に向かって下向きに傾斜する傾斜角をもって形成され、前記ナット部材（７）の下面に前記下部溝壁（１２）と一致する傾斜角が付与されたことを特徴とする物品取り付け金具。
【請求項２】
前記ナット装着溝（４）の上部溝壁（１１）が前記下部溝壁（１２）と反対方向に傾斜した傾斜角をもって形成され、前記ナット部材（７）の上面に前記上部溝壁（１１）と一致する傾斜角が付与されたこと特徴とする請求項１に記載の物品取り付け金具。
【請求項３】
前記ナット装着溝（４）が前記固定部（１）側に開放して形成され、前記ナット部材（７）に前記ナット装着溝（４）の下部溝壁（１２）の取り付け側端部を越えて下方に延びたスライドつまみ（１７）が形成されたことを特徴とする請求項２に記載の物品取り付け金具。
【発明の詳細な説明】
【技術分野】
【０００１】
この発明は、壁面等に薄型テレビやエアコン用室外機等の各種物品を取り付ける場合に用いられる物品取り付け金具に関するものである。
【背景技術】
【０００２】
薄型テレビやエアコン用室外機等に見られるように、同一種類の物品であっても様々なサイズの規格を有するものを建物の壁面に取り付ける際、その規格に対応して取り付け位置を調整する必要があるため、従来から取り付け位置を調節して当該物品の取り付け位置を設定して固定できるようにした物品取り付け金具が知られている（特許文献１）。
【０００３】
前記特許文献１に記載された物品取り付け金具は、図６に示すように、壁面等の取り付け面に対し水平状態に固定される長尺の固定部４０と、その固定部の下辺に前記固定部４０を基準にその前面側に突き出して設けられた取り付け部４１と、前記取り付け部４１にその長さ方向に形成されたナット装着溝４２とから構成される。ナット装着溝４２は、上下に平行に対向した上部溝壁４３と下部溝壁４４と、その上下の溝壁４３、４４の取り付け面側は前記の固定部４０と同一面の溝底壁４５で閉塞される。また、前面壁４６には長さ方向にスリット４７が形成される。
【０００４】
前記の物品取り付け金具は、前記固定部４０に設けられた長穴４８の部分で壁面等の取り付け面にねじ止めして使用される。あらかじめナット装着溝内の所定位置にナット部材４９を配置しておき、物品（例えば、薄型テレビ）のステー５１の一端に設けられた切り欠き部５２を取り付け部４１の前記ナット部材４９が配置された部分に係合させ、そのステー５１に設けられた取り付け穴５３を前記スリット４７を通してナット部材４９のねじ穴５０に芯合わせを行った後ボルト５４を締め付けて当該物品を壁面等に取り付ける（図７（ａ）参照）。
【特許文献１】実公昭５８−５３５１０号公報
【発明の開示】
【発明が解決しようとする課題】
【０００５】
前記のナット部材４９は、物品のサイズに応じてナット装着溝４２の内部を長さ方向にスライドさせる必要があり、通常はスリット４７を通して適宜な工具を差し込みこれをナット部材４９に係合させてスライドさせるが、そのスライドが円滑に行われるように、ナット部材４９はその前後左右方向に一定のスライドすき間（いわゆるガタツキ）が設けられている。このため、ナット部材４９は、ナット装着溝４２の前面壁４６の裏面に密着した状態に配置されるとは限らず、図７（ｂ）に示すように、ナット部材４９の前面とナット装着溝４２の前面壁４６との間にすき間ａが存在する場合が生じる。
【０００６】
このすき間ａが存在することにより、ステー５１の取り付け穴５３を通してスリット４７の先のナット部材４９のねじ穴５０を見ると、人の両眼の視差により、ナット部材４９のねじ穴５０が実際の位置よりも右または左にずれた位置に見える。このため、ステー５１の取り付け穴５３およびナット部材４９のねじ穴５０にボルト５４が挿通できるまで、ステー５１の取り付け穴５３をナット部材４９のねじ穴５０に芯合わせする作業を何度もやり直す必要があり、作業性に問題があった。
【０００７】
そこで、この発明は、ナット部材のナット装着溝内での円滑なスライドを阻害することなく、ナット部材の前面とナット装着溝の前面壁の裏面とのすき間をなくし、ボルトを容易にナット部材に締め付けることができる物品取り付け金具を提供することを課題とする。
【課題を解決するための手段】
【０００８】
前記の課題を解決するために、この発明では、壁面等の取り付け面に対し水平状態に固定される所要長さをもった固定部と、その固定部の上下辺のいずれか一方の辺に前記固定部の前面側に突き出して設けられた取り付け部と、前記取り付け部にその長さ方向に形成されたナット装着溝とからなり、取り付け対象となる物品を取り付け部にボルトにより取り付け、そのボルトを前記ナット装着溝内のナット部材に締め付けるようにした物品取り付け金具において、前記ナット装着溝が上下に対向した上部溝壁と下部溝壁及びこれらの溝壁間に形成された溝底壁を有し、前記下部溝壁が前記取り付け部の突き出し方向に向かって下向きに傾斜する傾斜角をもって形成され、前記ナット部材の下面に前記下部溝壁と一致する傾斜角が付与された構成を採用した。
【０００９】
この構成によると、前記ナット部材が前記ナット装着溝に挿入されると、このナット部材がその自重により下部溝壁に沿って前方に移動して、ナット部材の前面が前記ナット装着溝の溝底壁に接触して、ナット部材の前面とナット装着溝の溝底壁とのすき間がない状態となる。この状態では、人の両眼の視差の影響が小さくなるため、容易に取り付け対象となる物品の取り付け穴をナット部材のねじ穴に芯合わせできる。
【００１０】
また、前記ナット装着溝の上部溝壁が前記下部溝壁と反対方向に傾斜した傾斜角をもって形成され、前記ナット部材の上面に前記上部溝壁と一致する傾斜角が付与された構成によると、ナット部材が固定部側に移動しても、ナット装着溝の上下部溝壁にナット部材が当たり、ナット部材が取り付け側から脱落しない。
【００１１】
さらに、前記ナット装着溝が前記固定部側に開放して形成され、前記ナット部材に前記ナット装着溝の下部溝壁の取り付け側端部を越えて下方に延びたスライドつまみが形成された構成とすることもできる。これにより、前記ナット部材をそのスライドつまみ部をつまんで前記ナット装着溝内の所定の位置にスライドさせることができる。
【発明の効果】
【００１２】
以上のように、この発明の物品取り付け金具は、前記ナット部材がナット装着溝に挿入されると、このナット部材がその自重によりナット装着溝の下部溝壁に沿って前方に移動し、ナット部材の前面とナット装着溝の前面壁の裏面とが接触して、ナット部材の前面とナット装着溝の溝底壁とのすき間が存在しない状態となる。この状態では、人の両眼の視差の影響が小さくなり、ナット部材のねじ穴の実際の位置と見える位置とのずれが小さくなるため、容易に取り付け対象となる物品の取り付け穴をナット部材のねじ穴に芯合わせでき、ボルトをナット部材に締め付ける際の作業性を改善することができる。
【００１３】
また、ナット部材が壁面側に移動しても、ナット装着溝の上下部溝壁にナット部材が当たり、ナット部材がナット装着溝の壁面側の開放部分から脱落するのを防ぐことができる。
【００１４】
さらに、前記ナット部材をそのスライドつまみ部をつまんで前記ナット装着溝内をスライドさせることができ、容易にナット部材を所定の位置にスライドすることができる。
【発明を実施するための最良の形態】
【００１５】
以下、この発明の実施形態１を添付図面に基づいて説明する。
実施形態１の物品取り付け金具１は、図１に示すように、壁面等の取り付け面に対し水平に固定される所定長さの金属板の固定部２と、その固定部２の下辺を固定部２を基準にその前面側に突き出すように屈曲して断面コの字形に形成された取り付け部３と、前記取り付け部３にその長さ方向に形成されたナット装着溝４とから構成される。前記取り付け部３に取り付け対象となる物品をステー５を介してボルト６により取り付け、そのボルト６を前記ナット装着溝４内のナット部材７に締め付けて当該物品を壁面に取り付けるものである。
【００１６】
前記固定部２は、長さ方向並んだ複数個の固定穴８が設けられ、この固定穴８のうち所定の位置のものにねじ等を締め付けて壁面等の取り付け面に水平状態で固定される。
【００１７】
前記ナット装着溝４は、上下に対向した上部溝壁１１と下部溝壁１２と、その上下の溝壁１１、１２間の前面側に形成された溝底壁９とを有し、壁面等の取り付け面側が開放したものである。前記溝底壁９には、ステー５を固定するボルト６を挿通する長さ方向に長穴１０が設けられる。
【００１８】
前記ナット装着溝４の上部溝壁１１は、前記固定部２側から前記取り付け部３の突き出し方向に向かって上向きに傾斜する傾斜角θをもって形成される。また、下部溝壁１２は、前記固定部２側から前記取り付け部３の突き出し方向に向かって下向きに傾斜する傾斜角θをもって形成される（図３（ａ）参照）。
【００１９】
前記上下溝壁１１、１２が傾斜角θをもって形成されると、前記ナット装着溝４の溝底壁９裏面の上下方向の幅よりも上部溝壁１１先端と下部溝壁１２の先端との間隔、すなわち開放側の幅が小さくなり、後述するナット部材７が開放側に移動しても、ナット装着溝４の対向した上部溝壁１１と下部溝壁１２とにナット部材７が当たり、このナット部材がナット装着溝４の開放側から抜け落ちることを防ぐことができる。
【００２０】
前記ナット装着溝４に嵌め入れられるナット部材７は、図２（ａ）（ｂ）に示すように、ねじ穴１３が設けられたねじ面部１４の上下両端に、相互に対向する上面部１５と下面部１６とが形成されたものである。
【００２１】
前記ナット部材７の上面部１５は、図３（ａ）に示すように、ねじ面部１４側から先端側に向かって前記ナット装着溝４の上部溝壁１１と同じ傾斜角θをもって形成される。また、前記下面部１６は、ねじ面部１４側から先端側に向かって前記ナット装着溝４の下部溝壁１２と同じ傾斜角θをもって形成される。
【００２２】
前記ナット部材７の下面部１６が前記ナット装着溝４の下部溝壁１２と同じ傾斜角θをもって形成され、ナット装着溝４にナット部材７が、ナット装着溝４の溝底壁９にナット部材７のねじ面部１４が沿うように挿入されると、ナット部材７のナット装着溝内４での円滑なスライドを阻害することなく、ナット部材７がその自重によりナット装着溝４の下部溝壁１２に沿って溝底壁９側に移動する。これにより、図３（ａ）に示すように、ナット部材７のねじ面部１４がナット装着溝４の溝底壁９と接し、ナット部材７のねじ面部１４とナット装着溝４の溝底壁９との間にすき間がない状態となる。
【００２３】
この状態では、人の両眼の視差の影響が小さくなり、ナット部材７のねじ穴１３の実際の位置とステー５の取り付け穴１８を通して見えるねじ穴１３位置とのずれが小さくなるため、容易にステーの取り付け穴１８をナット部材のねじ穴１３に芯合わせでき、ボルト６をナット部材７に締め付ける際の作業性を改善することができる（図３（ｂ）参照）。
【００２４】
前記ナット部材７の下面部１６の先端に下向きに延び途中でねじ面部１４側に向かって形成されたスライドつまみ１７が設けられる。このスライドつまみ１７をつまんでナット部材７をそのナット装着溝４内を左右方向にスライドさせて、ナット部材７の位置決めをすることができる。
【００２５】
前記取り付け部３にボルト６により取り付けられる支持対象となる物品を支持するステー５は、図１に示すように、断面コの字形に形成されたものである。この上部前面には前記ボルト６が挿通して取り付け部３に固定する取り付け穴１８と、支持対象となる物品を支持する支持穴１９とが設けられる。その上部両側面には切り欠き部２０が設けられ、この切り欠き部２０が前記取り付け部３のナット装着溝４の断面形状と同じ形状に形成されることにより、図３に示すように、ステー５の切り欠き部２０を取り付け部３に嵌め入れて、ステー５を固定部２に係合させることができる。
【００２６】
物品取り付け金具１は、以上のように構成されるものであり、次にその作用を説明する。
まず、壁面等に物品取り付け金具１の固定部２が取り付け部３を下側に位置するように、固定穴８にねじなどを締め付けて水平状態に固定される。
【００２７】
次に、取り付け部３のナット装着溝４に前記ナット部材７がそのねじ面部１４が前方に向くようにかつ、スライドつまみ１７が下側に位置するように挿入される。前記ナット部材７が支持対象となる物品の壁面等に対する取り付け位置にナット装着溝４内をスライドさせて位置決めされる。このとき、ナット部材７は、自重によりナット装着溝４の下部溝壁１２に沿って前方に移動し、そのねじ面部１４とナット装着溝４の溝底壁９の裏面とが接触した状態となる。（図３（ａ）参照）
【００２８】
このようにしてナット部材７の位置決めされた後、当該物品を取り付けるステー５を固定部材１の取り付け部３に嵌め合わせる。このステー５をスライドさせてその取り付け穴１８に前記ナット部材７のねじ穴１３を芯合わせする際に、ナット部材７のねじ面部１４とナット装着溝４の溝底壁９との間にすき間がない状態となっている。
【００２９】
この状態では、視差の影響が小さくなり、ナット部材７のねじ穴１３の実際の位置とステー５の取り付け穴１８を通して見える位置とのずれが小さくなるため、容易にステーの取り付け穴１８をナット部材のねじ穴１３に芯合わせでき、ボルト６をナット部材７のねじ穴１３に締め付けることができる（図３（ｂ）参照）。
【００３０】
前記ボルト６をナット部材７のねじ穴１３に締め付けることにより、取り付け部３にステー５が固定され、取り付け対象となる物品をステー５の支持穴１９に掛けることにより、当該物品を壁面に取り付けることができる。
【００３１】
また、図４に基づいて、実施形態１の物品取り付け金具の使用例を説明する。
この使用例では、前記物品取り付け金具１が上下２本の横枠として使用され、この上下の物品取り付け金具１、１の両端が縦枠３０、３０で連結され、上下の物品取り付け金具１、１にわたって２本のステー５が取り付けられる。
【００３２】
前記各物品取り付け金具１を壁面等に固定し、各ステー５に薄型テレビなどを固定することにより、薄型テレビなどを壁面等に取り付けることできる。
【００３３】
次に、図５に基づいて、物品取り付け金具１の実施形態２を説明する。なお、前述した実施形態１と同一部分には、同一符号を付して示す。
この実施形態２の物品取り付け金具１は、図５に示すように、実施形態１の場合と異なり、ナット装着溝４が、上下の溝壁１１，１２の壁面等の取り付け面側を前記固定部２と同一面の背面壁２１により閉塞され、また、ナット部材７のスライドつまみ１７が設けられていないものである。その他の構成は、実施形態１の場合と同様である。
【００３４】
この実施形態２の場合、ナット装着溝４の壁面等の取り付け面側が閉塞しているので、ナット部材７には、スライドつまみ１７を設けることができない。このため、ナット部材７を物品のサイズに応じてナット装着溝４内をスライドさせるには、長穴１０を通して適宜な工具を差し込みこれをナット部材７に係合させてスライドさせる必要がある。その他の作用は、実施形態１の場合と同様である。
【図面の簡単な説明】
【００３５】
【図１】実施形態１の物品取り付け金具を示す分解斜視図
【図２】（ａ）、（ｂ）同上の物品取り付け金具のナット部材の斜視図
【図３】（ａ）同上の物品取り付け金具のねじ締め付け前の状態における断面図、（ｂ）同上の物品取り付け金具の使用時における断面図
【図４】同上の物品取り付け金具の使用例を示す斜視図
【図５】実施形態２の物品取り付け金具の使用時における断面図
【図６】従来の物品取り付け金具を示す分解斜視図
【図７】（ａ）同上の物品取り付け金具の使用時における断面図、（ｂ）同上の物品取り付け金具のねじ締め付け前の状態における断面図
【符号の説明】
【００３６】
１  物品取り付け金具
２  固定部
３  取り付け部
４  ナット装着溝
５  ステー
６  ボルト
７  ナット部材
８  固定穴
９  溝底壁
１０  長穴
１１  上部溝壁
１２  下部溝壁
１３  ねじ穴
１４  ねじ面部
１５  上面部
１６  下面部
１７  スライドつまみ
１８  取り付け穴
１９  支持穴
２０  切り欠き部
２１  背面壁
３０  縦枠
４０  固定部
４１  取り付け部
４２  ナット装着溝
４３  上部溝壁
４４  下部溝壁
４５  溝底壁
４６  前面壁
４７  スリット
４８  長穴
４９  ナット部材
５０  ねじ穴
５１  ステー
５２  切り欠き部
５３  取り付け穴
５４  ボルト
【図１】
2006329399.tif 000003
【図２】
2006329399.tif 000004
【図３】
2006329399.tif 000005
【図４】
2006329399.tif 000006
【図５】
2006329399.tif 000007
【図６】
2006329399.tif 000008
【図７】
2006329399.tif 000009